(57)【要約】【課題】コスト増加を抑制しつつコンタクトとグランドプレートの相対位置調整を容易に行うことのできる構造を有するコネクタを提供すること。【解決手段】第１整列部材２０は、第１コンタクト１０を整列保持している。第２整列部材４０は、第２コンタクト３０を整列保持している。グランド部材５０は、グランドプレートに相当する主部５２とロック部材に相当するロックバネ部５４とを連結部５６で連結して一体化してなるものである。保持部材７０は、第１整列部材２０と第２整列部材４０とグランド部材５０とを保持している。これにより、グランド部材５０の主部５２は第１整列部材２０と第２整列部材４０との間に位置する。【選択図】図３
2015179591.tif 000002
【特許請求の範囲】
【請求項１】
嵌合方向に沿って相手側コネクタと嵌合可能なコネクタであって、
前記コネクタは、第１整列部材と、第２整列部材と、複数の第１コンタクトと、複数の第２コンタクトと、グランド部材と、保持部材とを備えており、
前記第１整列部材は、前記第１コンタクトを前記嵌合方向と直交するピッチ方向に整列させると共に保持しており、
前記第２整列部材は、前記第２コンタクトを前記ピッチ方向に整列させると共に保持しており、
前記グランド部材は、平板状の主部と、前記相手側コネクタの被ロック部をロックするロック部を有するロックバネ部と、前記主部と前記ロックバネ部とを連結する連結部とを有しており、
前記保持部材は、前記第１整列部材と前記第２整列部材の間に前記グランド部材の前記主部が位置するように、前記第１整列部材と前記第２整列部材と前記グランド部材とをまとめて保持している
コネクタ。
【請求項２】
請求項１記載のコネクタであって、
前記第１整列部材と前記第２整列部材の少なくとも一方には、前記嵌合方向と前記ピッチ方向の双方と直交する所定方向に突出した突起が形成されており、
前記連結部は、前記ピッチ方向において前記主部と前記ロックバネ部との間に溝部が形成されるように、前記主部と前記ロックバネ部とを連結しており、
前記保持部材には、位置決め部が設けられており、
前記位置決め部は、前記ピッチ方向において前記溝部内に位置しており、
前記第１整列部材と前記第２整列部材の少なくとも一方の前記突起は、前記嵌合方向において、前記位置決め部と前記連結部の間に位置している
コネクタ。
【請求項３】
請求項２記載のコネクタであって、
前記突起は、前記第１整列部材と前記第２整列部材の双方に形成されており、
前記第１整列部材の前記突起と前記第２整列部材の前記突起とは、前記溝部内において、前記所定方向において対向している
コネクタ。
【請求項４】
請求項１乃至請求項３のいずれかに記載のコネクタであって、
前記グランド部材には圧入突起が形成されており、
前記グランド部材は、前記保持部材に圧入され固定されている
コネクタ。
【請求項５】
請求項２又は請求項３記載のコネクタであって、
前記グランド部材には圧入突起が形成されており、
前記圧入突起は、前記主部から前記溝部内に突出しており、
前記グランド部材は、前記保持部材に圧入され固定されている
コネクタ。
【請求項６】
請求項５記載のコネクタであって、
前記突起は、前記ピッチ方向において、前記圧入突起から前記ロックバネ部までの距離よりも小さいサイズを有している
コネクタ。
【請求項７】
請求項１乃至請求項６のいずれかに記載のコネクタであって、
前記主部と前記ロックバネ部とは同じ平面上に位置しており、
前記ロックバネ部は、前記平面内において弾性変形する
コネクタ。
【請求項８】
請求項７記載のコネクタであって、
前記ロック部は、前記平面内において内側に向かって突出している
コネクタ。
【請求項９】
請求項１乃至請求項８のいずれかに記載のコネクタであって、
前記第１整列部材と前記第２整列部材とは同じ構造を有しており、
前記保持部材には、前記第１整列部材を収容する第１収容部と、前記第２整列部材を収容する第２収容部とが設けられており、
前記第１収容部と前記第２収容部とは、前記ピッチ方向における前記保持部材の中心であって前記嵌合方向と前記ピッチ方向の双方と直交する所定方向における前記保持部材の中心を通る線に対して回転対象となるように形成されている
コネクタ。
【請求項１０】
請求項１乃至請求項９のいずれかに記載のコネクタであって、
前記第１コンタクトと前記第２コンタクトとは、対象物に接続固定される端子部を有しており、
前記グランド部材は、前記対象物に接続固定されるグランド端子部を有している
コネクタ。
【請求項１１】
請求項２乃至請求項１０のいずれかに記載のコネクタであって、
前記突起は、四角柱形状を有している
コネクタ。
【請求項１２】
請求項１乃至請求項１１のいずれかに記載のコネクタであって、
前記保持部材は、前記ピッチ方向において前記第１整列部材と前記第２整列部材の位置決めを行うピッチ方向位置決め部を有している
コネクタ。
【請求項１３】
請求項１乃至請求項１２のいずれかに記載のコネクタであって、
前記保持部材は、前記所定方向において前記第１整列部材と前記第２整列部材の位置決めを行う所定方向位置決め部を有している
コネクタ。
【請求項１４】
請求項１乃至請求項１３のいずれかに記載のコネクタであって、
前記保持部材を少なくとも部分的に覆うシェルを更に備えている
コネクタ。
【請求項１５】
請求項１４記載のコネクタであって、
前記シェルには、爪部が形成されており、
前記グランド部材には、段差部が形成されており、
前記爪部の先端は、前記嵌合方向において前記段差部と対向するよう配置されている
コネクタ。
【発明の詳細な説明】
【技術分野】
【０００１】
本発明は、相手側コネクタの被ロック部にロックするロック部を備えるコネクタに関する。
【背景技術】
【０００２】
図１１乃至図１３を参照すると、特許文献１のコネクタは、複数のコンタクトと、コンタクトを保持する保持部材と、グランドプレートと、シェルと、ロック部材とを備えている。コンタクトは２列に並べられており、グランドプレートはコンタクトの列の間に位置している。グランドプレートには、バネ部が形成されており、コンタクトに含まれるグランドコンタクトに保持部材内部において接続されている。ロック部材は、ロック部を有しており、且つ、ロック部が移動可能となるように保持部材に保持されている。シェルは、保持部材を覆うように設けられている。シェルには開口が形成されており、ロック部は開口を通じてシェル外部に突出している。
【先行技術文献】
【特許文献】
【０００３】
【特許文献１】国際公開第２００９／１４７７９１号
【発明の概要】
【発明が解決しようとする課題】
【０００４】
本発明は、コスト増加を抑制しつつコンタクトとグランドプレートの相対位置調整を容易に行うことのできる構造を有するコネクタを提供することを目的とする。
【課題を解決するための手段】
【０００５】
本発明は、第１のコネクタとして、
嵌合方向に沿って相手側コネクタと嵌合可能なコネクタであって、
前記コネクタは、第１整列部材と、第２整列部材と、複数の第１コンタクトと、複数の第２コンタクトと、グランド部材と、保持部材とを備えており、
前記第１整列部材は、前記第１コンタクトを前記嵌合方向と直交するピッチ方向に整列させると共に保持しており、
前記第２整列部材は、前記第２コンタクトを前記ピッチ方向に整列させると共に保持しており、
前記グランド部材は、平板状の主部と、前記相手側コネクタの被ロック部をロックするロック部を有するロックバネ部と、前記主部と前記ロックバネ部とを連結する連結部とを有しており、
前記保持部材は、前記第１整列部材と前記第２整列部材の間に前記グランド部材の前記主部が位置するように、前記第１整列部材と前記第２整列部材と前記グランド部材とをまとめて保持している
コネクタを提供する。
【０００６】
また、本発明は、第２のコネクタとして、第１のコネクタであって、
前記第１整列部材と前記第２整列部材の少なくとも一方には、前記嵌合方向と前記ピッチ方向の双方と直交する所定方向に突出した突起が形成されており、
前記連結部は、前記ピッチ方向において前記主部と前記ロックバネ部との間に溝部が形成されるように、前記主部と前記ロックバネ部とを連結しており、
前記保持部材には、位置決め部が設けられており、
前記位置決め部は、前記ピッチ方向において前記溝部内に位置しており、
前記第１整列部材と前記第２整列部材の少なくとも一方の前記突起は、前記嵌合方向において、前記位置決め部と前記連結部の間に位置している
コネクタを提供する。
【０００７】
また、本発明は、第３のコネクタとして、第２のコネクタであって、
前記突起は、前記第１整列部材と前記第２整列部材の双方に形成されており、
前記第１整列部材の前記突起と前記第２整列部材の前記突起とは、前記溝部内において、前記所定方向において対向している
コネクタを提供する。
【０００８】
また、本発明は、第４のコネクタとして、第１乃至第３のいずれかであって、
前記グランド部材には圧入突起が形成されており、
前記グランド部材は、前記保持部材に圧入され固定されている
コネクタを提供する。
【０００９】
また、本発明は、第５のコネクタとして、第２又は第３のコネクタであって、
前記グランド部材には圧入突起が形成されており、
前記圧入突起は、前記主部から前記溝部内に突出しており、
前記グランド部材は、前記保持部材に圧入され固定されている
コネクタを提供する。
【００１０】
また、本発明は、第６のコネクタとして、第５のコネクタであって、
前記突起は、前記ピッチ方向において、前記圧入突起から前記ロックバネ部までの距離よりも小さいサイズを有している
コネクタを提供する。
【００１１】
また、本発明は、第７のコネクタとして、第１乃至第６のいずれかのコネクタであって、
前記主部と前記ロックバネ部とは同じ平面上に位置しており、
前記ロックバネ部は、前記平面内において弾性変形する
コネクタを提供する。
【００１２】
また、本発明は、第８のコネクタとして、第７のコネクタであって、
前記ロック部は、前記平面内において内側に向かって突出している
コネクタを提供する。
【００１３】
また、本発明は、第９のコネクタとして、第１乃至第８のいずれかのコネクタであって、
前記第１整列部材と前記第２整列部材とは同じ構造を有しており、
前記保持部材には、前記第１整列部材を収容する第１収容部と、前記第２整列部材を収容する第２収容部とが設けられており、
前記第１収容部と前記第２収容部とは、前記ピッチ方向における前記保持部材の中心であって前記所定方向における前記保持部材の中心を通る線に対して回転対象となるように形成されている
コネクタを提供する。
【００１４】
また、本発明は、第１０のコネクタとして、第１乃至第９のいずれかのコネクタであって、
前記第１コンタクトと前記第２コンタクトとは、対象物に接続固定される端子部を有しており、
前記グランド部材は、前記対象物に接続固定されるグランド端子部を有している
コネクタを提供する。
【００１５】
また、本発明は、第１１のコネクタとして、第２乃至第１０のいずれかのコネクタであって、
前記突起は、四角柱形状を有している
コネクタを提供する。
【００１６】
また、本発明は、第１２のコネクタとして、第１乃至第１１のいずれかのコネクタであって、
前記保持部材は、前記ピッチ方向において前記第１整列部材と前記第２整列部材の位置決めを行うピッチ方向位置決め部を有している
コネクタを提供する。
【００１７】
また、本発明は、第１３のコネクタとして、第１乃至第１２のいずれかのコネクタであって、
前記保持部材は、前記所定方向において前記第１整列部材と前記第２整列部材の位置決めを行う所定方向位置決め部を有している
コネクタを提供する。
【００１８】
また、本発明は、第１４のコネクタとして、第１乃至第１３のいずれかのコネクタであって、
前記保持部材を少なくとも部分的に覆うシェルを更に備えている
コネクタを提供する。
【００１９】
また、本発明は、第１５のコネクタとして、第１４のコネクタであって、
前記シェルには、爪部が形成されており、
前記グランド部材には、段差部が形成されており、
前記爪部の先端は、前記嵌合方向において前記段差部と対向するよう配置されている
コネクタを提供する。
【発明の効果】
【００２０】
特許文献１の単一の保持部材の代わりに第１整列部材、第２整列部材及び保持部材の３つの部材を用いている一方で、グランドプレートの機能を果たす主部とロック部材の機能を果たすロックバネ部とを一体化してグランド部材としたことから、トータルで部品点数の増加を抑制することができ、従って、極端なコスト増加は抑制されている。
【００２１】
第１コンタクトと第２コンタクトを第１整列部材と第２整列部材とで夫々整列させると共に、保持部材によりグランド部材と第１整列部材及び第２整列部材とを保持することとしたため、第１コンタクトと第２コンタクトとグランド部材の相対位置調整が行い易い。
【図面の簡単な説明】
【００２２】
【図１】本発明の実施の形態によるコネクタを示す正面斜視図である。
【図２】図１のコネクタを示す背面斜視図である。
【図３】図１のコネクタを示す分解斜視図である。
【図４】図１のコネクタを示す正面図である。
【図５】図４のコネクタをV--V線に沿って示す断面図である。
【図６】図１のコネクタに含まれる構造であってシェル及びフロント保護部材以外の構造を示す側面図である。
【図７】図６の構造をVII--VII線に沿って示す断面図である。
【図８】図６の構造をVIII--VIII線に沿って示す断面図である。
【図９】図６の構造をIX--IX線に沿って切断した場合の斜視断面図である。
【図１０】図９の構造を示す分解斜視図である。
【図１１】特許文献１のコネクタを示す斜視図である。
【図１２】図１１のコネクタを示す断面図である。
【図１３】図１１のコネクタに含まれる構造を示す分解斜視図である。
【発明を実施するための形態】
【００２３】
図１乃至図５を参照すると、本発明の実施の形態によるコネクタ１は、パドルボード（対象物）５を介してケーブル（図示せず）に接続されるものであり、Ｘ方向（嵌合方向）に沿って相手側コネクタ（図示せず）と嵌合するものである。図示されたコネクタ１は、導電体からなる複数の第１コンタクト１０と、絶縁体からなる第１整列部材２０と、導電体からなる複数の第２コンタクト３０と、絶縁体からなる第２整列部材４０と、グランド部材５０と、絶縁体からなる保持部材７０と、金属製のシェル８０と、絶縁体からなるフロント保護部材９０とを備えている。フロント保護部材９０は、シェル８０の先端（−Ｘ側端部）に取り付けられ、シェル８０の先端を保護している。
【００２４】
図３を参照すると、第１コンタクト１０の夫々は、接点部１２と、端子部１４とを有している。接点部１２は、相手側コネクタ（図示せず）の相手側コンタクト（図示せず）と接触する部位である。図１、図２及び図５に示されるように、端子部１４は、パドルボード５に接続固定される部位である。
【００２５】
図３、図４、図７及び図８に示されるように、第１整列部材２０は、複数の第１コンタクト１０をＹ方向（ピッチ方向）に整列させると共に保持している。特に、本実施の形態の第１コンタクト１０は、インサート成型法により第１整列部材２０の形成時に第１整列部材２０内に部分的に埋め込まれている。図３及び図７から理解されるように、本実施の形態の第１整列部材２０には、Ｚ方向（所定方向）に突出した突起２２が２つ形成されている。各突起２２は、四角柱形状を有している。
【００２６】
図３に示されるように、第２コンタクト３０の夫々は、接点部３２と、端子部３４とを有している。接点部３２は、相手側コネクタ（図示せず）の相手側コンタクト（図示せず）と接触する部位である。図５に示されるように、端子部３４は、パドルボード５に接続固定される部位である。
【００２７】
図３、図４、図７及び図８に示されるように、第２整列部材４０は、複数の第２コンタクト３０をＹ方向に整列させると共に保持している。特に、本実施の形態の第２コンタクト３０は、インサート成型法により第２整列部材４０の形成時に第２整列部材４０内に部分的に埋め込まれている。図３、図７、図９及び図１０に示されるように、本実施の形態の第２整列部材４０には、Ｚ方向に突出した突起４２が２つ形成されている。各突起４２は、四角柱形状を有している。
【００２８】
図３から理解されるように、本実施の形態において、第１整列部材２０と第２整列部材４０とは同じ構造を有しており、第１コンタクト１０と第２コンタクト３０も同じ構造を有している。
【００２９】
図３から理解されるように、グランド部材５０は、一枚の金属板を打ち抜き形成されたものである。本実施の形態のグランド部材５０は、平板状の主部５２と、２つのロックバネ部５４と、連結部５６とを有している。即ち、図示されたグランド部材５０は、いわゆるグランドプレートと、ロックバネとを一体化したものである。特に、本実施の形態において、主部５２とロックバネ部５４とは同じＸＹ平面上に位置している。
【００３０】
図３及び図９に示されるように、主部５２には、複数の圧入突起６０が形成されている。圧入突起６０は、夫々、主部５２のＹ方向の端部からＹ方向の外側に向かって突出している。
【００３１】
各ロックバネ部５４は、ＸＹ平面内において弾性変形可能なものであり、相手側コネクタ（図示せず）の被ロック部（図示せず）をロックするロック部６２を有している。ロック部６２は、ロックバネ部５４の弾性を利用してＸＹ平面内において移動可能である。本実施の形態において、２つのロックバネ部５４のロック部６２は、Ｙ方向において対向配置されている。換言すると、各ロック部６２は、ＸＹ平面内においてＹ方向の内側に向かって突出している。
【００３２】
連結部５６は、Ｙ方向において主部５２とロックバネ部５４との間に溝部５８が形成されるように主部５２とロックバネ部５４とを連結している。上述した圧入突起６０は、溝部５８内に位置している。即ち、圧入突起６０は、溝部５８内に突出している。
【００３３】
また、図３に示されるように、連結部５６には、２つのグランド端子部６４が形成されている。グランド端子部６４は、Ｙ方向の両端であって＋Ｘ側端部から＋Ｘ側に延びている。図１、図２及び図５に示されるように、これらグランド端子部６４は、第１コンタクト１０の端子部１４と共にパドルボード５上に接続固定される。このように、グランド部材５０は、グランド端子部６４を介してグランドに落とされることから、例えば、特許文献１のように保持部材７０内においてグランドコンタクトに接触させる必要がなく、従って、主部５２に不要な開口を形成してシールド効果を劣化させるおそれがない。更に、ロック部６２が相手側コネクタ（図示せず）の被ロック部（図示せず）をロックする際に、ロック部６２と被ロック部（図示せず）と接触状態を維持するように構成すれば、グランド部材５０において相手側コネクタ（図示せず）のグランドと接続可能となる。
【００３４】
更に、図３及び図９に示されるように、連結部５６のＹ方向の両端であってロックバネ部５４の近傍には、段差部６６が形成されている。
【００３５】
図５、図７及び図８に示されるように、保持部材７０は、第１整列部材２０と第２整列部材４０とグランド部材５０とをまとめて保持している。
【００３６】
図７及び図８に示されるように、保持部材７０には、第１整列部材２０を収容する第１収容部７２と、第２整列部材４０を収容する第２収容部７４とが形成されている。図８に示されるように、第１収容部７２は、第１整列部材２０を抱え込むように収容しており、第１整列部材２０のＹ方向及びＺ方向における位置決めを行っている。図８及び図９に示されるように、第２収容部７４は、第２整列部材４０を抱え込むように収容しており、第２整列部材４０のＹ方向及びＺ方向における位置決めを行っている。換言すると、第１収容部７２は、第１整列部材２０のＹ方向における位置決めを行うＹ方向位置決め部（ピッチ方向位置決め部）として機能すると共に、第１整列部材２０のＺ方向における位置決めを行うＺ方向位置決め部（所定方向位置決め部）として機能する。同様に、第２収容部７４は、第２整列部材４０のＹ方向における位置決めを行うＹ方向位置決め部（ピッチ方向位置決め部）として機能すると共に、第２整列部材４０のＺ方向における位置決めを行うＺ方向位置決め部（所定方向位置決め部）として機能する。
【００３７】
図７及び図８から理解されるように、第１収容部７２と第２収容部７４とは、Ｙ方向における保持部材７０の中心であってＺ方向における保持部材７０の中心を通る線に対して回転対象となるように形成されている。そのため、図４、図７及び図８から理解されるように、第１収容部７２に収容された第１整列部材２０と第２収容部７４に収容された第２整列部材４０は、Ｙ方向における第１整列部材２０の中心且つＹ方向における第２整列部材４０の中心であってＺ方向における第１整列部材２０と第２整列部材４０との間の中点を通る線に対して回転対称となるように配置されている。
【００３８】
図８に最も良く示されるように、第１収容部７２と第２収容部７４とは、Ｚ方向において離間配置されており、第１収容部７２と第２収容部７４との間にはスペースが存在している。このスペースは、グランド部材５０の主部５２を収容する中間収容部７６として機能する。この中間収容部７６にグランド部材５０の主部５２が収容されることから、第１整列部材２０、第２整列部材４０及びグランド部材５０が保持部材７０に保持された状態において、グランド部材５０は、第１整列部材２０と第２整列部材４０の間に位置している。
【００３９】
図８及び図９から理解されるように、保持部材７０には、２つの位置決め部７８が設けられている。位置決め部７８は、Ｙ方向における中間収容部７６の両端に形成されている。図９に示されるように、位置決め部７８のＹ方向の内側の面に圧入突起６０が食い込み、それによって、グランド部材５０が保持部材７０に保持されている。即ち、グランド部材５０は、保持部材７０に圧入され固定されている。
【００４０】
図７及び図９から理解されるように、第１整列部材２０、第２整列部材４０及びグランド部材５０が保持部材７０に保持された状態において、第１整列部材２０の突起２２と第２整列部材４０の突起４２とは、グランド部材５０の溝部５８内に位置している。特に、図７に示されるように、突起２２と突起４２とは、溝部５８内において、Ｚ方向において対向している。
【００４１】
図９から理解されるように、Ｙ方向において、溝部５８のサイズ（幅）は、突起２２，４２のサイズ（幅）よりも大きい。特に、図７及び図９から理解されるように、Ｙ方向において、圧入突起６０からロックバネ部５４までの距離は突起２２，４２のサイズよりも大きい。即ち、本実施の形態の突起２２，４２は、Ｙ方向において、圧入突起６０からロックバネ部５４までの距離よりも小さいサイズを有している。このため、第１整列部材２０及び第２整列部材４０を保持部材７０の＋Ｘ側端部から−Ｘ側に向けて保持部材７０内に挿入することにより第１収容部７２及び第２収容部７４に夫々収容させた後、グランド部材５０を保持部材７０の＋Ｘ側端部から−Ｘ側に向けて保持部材７０内に圧入することができる。即ち、突起２２，２４のサイズを上述したように設定することにより、第１整列部材２０、第２整列部材４０及びグランド部材５０のすべてを−Ｘ方向に沿って保持部材７０内に挿入することができる。そのため、本実施の形態の構造は、コネクタ組立における自動化に適している。但し、本発明はこれに限定されるわけではなく、例えば、第１整列部材２０と第２整列部材４０とでグランド部材５０を挟み込んだ後、それらを一体にして保持部材７０内に収容することとしてもよい。その場合、突起２２，４２のＹ方向におけるサイズは、溝部５８内に収まるのであれば、本実施の形態のサイズより大きくてもよい。
【００４２】
図９から理解されるように、第１整列部材２０、第２整列部材４０及びグランド部材５０が保持部材７０に保持された状態において、位置決め部７８は、Ｙ方向において溝部５８内に位置している。図７及び図９から理解されるように、第１整列部材２０の突起２２と第２整列部材４０の突起４２は、Ｘ方向において、位置決め部７８と連結部５６の間に位置している。特に、本実施の形態においては、第１整列部材２０の突起２２と第２整列部材４０の突起４２の夫々は、Ｘ方向において、位置決め部７８と連結部５６に挟まれている。これにより、第１整列部材２０と第２整列部材４０のグランド部材５０に対するＸ方向における位置決めがなされている。
【００４３】
図２及び図５から理解されるように、シェル８０は、保持部材７０を部分的に覆っている。シェル８０には、爪部８２が形成されている。シェル８０に対して保持部材７０等が収容された後、爪部８２がＹ方向内側に折り込まれることによりシェル８０が保持部材７０に固定される。このとき、図２及び図９から理解されるように、爪部８２の先端は、段差部６６の＋Ｘ側に位置し、Ｘ方向において段差部６６と対向している。これにより、保持部材７０やグランド部材５０がシェル８０から抜け落ちることが防止されている。
【００４４】
以上、本発明について具体的に説明してきたが、本発明はこれらに限定されるわけではなく、様々な変形等が可能である。
【００４５】
上述した実施の形態において、第１コンタクト１０は第１整列部材２０にインサート成型により組み込まれていたが、本発明はこれに限定されるものではなく、例えば、圧入等の他の手段により第１コンタクト１０が第１整列部材２０に保持されていてもよい。同様に、第２コンタクト３０は第２整列部材４０に圧入等の他の手段により保持されていてもよい。
【００４６】
上述した実施の形態において、圧入突起６０は主部５２に設けられており溝部５８内に突出していたが、本発明はこれに限定されるものではなく、例えば、Ｙ方向における連結部５６の両端などに形成されていてもよい。但し、その場合、保持部材７０のサイズが大きくなってしまうことから、圧入突起６０は溝部５８内に突出していることが好ましい。
【００４７】
上述した実施の形態においては、第１整列部材２０と第２整列部材４０の双方に突起２２，４２が形成されていたが、本発明はこれに限定されるわけではなく、例えば、第１整列部材２０と第２整列部材４０の一方のみに長めの突起が形成され、他方にはその突起の先端を受ける穴が形成されていてもよい。
【符号の説明】
【００４８】
１        コネクタ
５        パドルボード
１０        第１コンタクト
１２        接点部
１４        端子部
２０        第１整列部材
２２        突起
３０        第２コンタクト
３２        接点部
３４        端子部
４０        第２整列部材
４２        突起
５０        グランド部材
５２        主部
５４        ロックバネ部
５６        連結部
５８        溝部
６０        圧入突起
６２        ロック部
６４        グランド端子部
６６        段差部
７０        保持部材
７２        第１収容部（ピッチ方向位置決め部且つ所定方向位置決め部）
７４        第２収容部（ピッチ方向位置決め部且つ所定方向位置決め部）
７６        中間収容部
７８        位置決め部
８０        シェル
８２        爪部
９０        フロント保護部材
【図１】
2015179591.tif 000003
【図２】
2015179591.tif 000004
【図３】
2015179591.tif 000005
【図４】
2015179591.tif 000006
【図５】
2015179591.tif 000007
【図６】
2015179591.tif 000008
【図７】
2015179591.tif 000009
【図８】
2015179591.tif 000010
【図９】
2015179591.tif 000011
【図１０】
2015179591.tif 000012
【図１１】
2015179591.tif 000013
【図１２】
2015179591.tif 000014
【図１３】
2015179591.tif 000015